(57)【要約】【課題】湯切れを抑制しつつ経済性を一層向上できる貯湯式給湯装置を提供する。【解決手段】この貯湯式給湯装置１は、貯湯タンクと、前記貯湯タンク内の水を加熱する加熱手段と、前記貯湯タンク内の残湯量を検出する残湯量検出手段（１５０ａ）と、前記残湯量検出手段が検出した前記残湯量である検出残湯量が、前記加熱手段を起動させるべき起動残湯量以下である場合は、前記加熱手段を起動させる制御手段（１５０ｄ）と、前記貯湯タンク内の湯を用いて所定の浴槽に対する湯張りまたは追い焚きを開始する第１時刻を設定する開始時刻設定手段（１５０ｂ）と、前記開始時刻設定手段により前記第１時刻よりも早い第２時刻において前記第１時刻が設定されると、前記第２時刻から前記第１時刻までの間の所定の時間帯において前記起動残湯量を第１の設定値からそれよりも高い第２の設定値に変更する設定値変更手段（１５０ｃ）とを備える。【選択図】図２
2010281489.tif 000002
【特許請求の範囲】
【請求項１】
貯湯タンク（５）と、
前記貯湯タンク内の水を加熱する加熱手段（３）と、
前記貯湯タンク内の残湯量を検出する残湯量検出手段（１５０ａ）と、
前記残湯量検出手段が検出した前記残湯量である検出残湯量が、前記加熱手段を起動させるべき起動残湯量以下である場合は、前記加熱手段を起動させる制御手段（１５０ｄ）と、
湯張りまたは追い焚きの予約に応じて、前記貯湯タンク内の湯を用いて所定の浴槽（９）に対する湯張りまたは追い焚きを開始する第１時刻（ｔ２）を設定する開始時刻設定手段（１５０ｂ）と、
湯張りまたは追い焚きが予約された第２時刻（ｔ１）が第１時刻（ｔ２）よりも早い場合は、前記第２時刻から前記第１時刻までの間における所定の時間帯において前記起動残湯量を第２時刻よりも前の起動残湯量である第１の設定値（Ｖ１）からそれよりも高い第２の設定値（Ｖ２）に変更する設定値変更手段（１５０ｃ）と、
を備えることを特徴とする貯湯式給湯装置。
【請求項２】
請求項１に記載の貯湯式給湯装置であって、
前記設定値変更手段（１５０ｃ）は、前記第２時刻（ｔ１）に、前記起動残湯量を前記第１の設定値（Ｖ１）から前記第２の設定値（Ｖ２）に変更することを特徴とする貯湯式給湯装置。
【請求項３】
請求項１に記載の貯湯式給湯装置であって、
前記設定値変更手段（１５０ｃ）は、前記第２時刻（ｔ１）から前記第１時刻（ｔ２）までの時間内の複数の時刻に亘って、前記起動残湯量を前記第１の設定値（Ｖ１）から前記第２の設定値（Ｖ２）まで段階的に変更することを特徴とする貯湯式給湯装置。
【請求項４】
請求項３に記載の貯湯式給湯装置であって、
前記設定値変更手段（１５０ｃ）は、前記複数の時刻に亘って、前記起動残湯量を一定量（ΔＶ）ずつ増大させることを特徴とする貯湯式給湯装置。
【請求項５】
請求項３に記載の貯湯式給湯装置であって、
前記複数の時刻の各時刻（ｔ１，ｔ１＋Δｔ，ｔ１＋２Δｔ）において、その時刻から次ぎの時刻までの間（ｔ１〜ｔ１＋Δｔ，ｔ１＋Δｔ〜ｔ１＋２Δｔ，ｔ１＋２Δｔ〜ｔ２）の前記貯湯タンクの出湯量平均値を計算し、その出湯量平均値と前記湯張りまたは前記追い焚きに必要な湯量とを加算して、その加算結果をその時刻の時刻間設定値とする設定値計算手段（１５０ｆ）を更に備え、
前記設定値変更手段（１５０ｃ）は、前記複数の時刻の各時刻において、前記起動残湯量を、その時刻の前記時刻間設定値に変更することを特徴とする貯湯式給湯装置。
【請求項６】
請求項２に記載の貯湯式給湯装置であって、
前記第２時刻（ｔ１）から前記第１時刻（ｔ２）までの前記貯湯タンク（５）の出湯量平均値を算出し、且つ前記加熱手段（３）によって前記第２時刻から前記第１時刻までに沸き上げる事が可能な第１湯量を計算し、且つ前記湯張りまたは前記追い焚きに必要な第２湯量に対して前記第１湯量を減算すると共に前記出湯量平均値を加算した第３湯量を計算し、前記第３湯量を前記第２の設定値（Ｖ２）とする設定値計算手段（１５０ｇ）を更に備えることを特徴とする貯湯式給湯装置。
【請求項７】
請求項２に記載の貯湯式給湯装置であって、
前記第２の設定値（Ｖ２）は、前記湯張りまたは前記追い焚きに必要な湯量と、前記貯湯タンク（５）内の前記湯を用いたシャワー１回分の出湯に必要な湯量の平均値とを加算した湯量であることを特徴とする貯湯式給湯装置。
【請求項８】
請求項２に記載の貯湯式給湯装置であって、
前記第２の設定値（Ｖ２）は、前記湯張りまたは前記追い焚きに必要な湯量と、前記貯湯タンク（５）内の湯を用いたシャワーによる出湯の発生時間の平均値における前記加熱手段の沸上可能湯量とを加算した湯量であることを特徴とする貯湯式給湯装置。
【請求項９】
請求項８に記載の貯湯式給湯装置であって、
一定期間に亘って前記貯湯タンク（５）内の湯を用いたシャワーの出湯の発生時刻を検出し、その検出結果に基づき前記シャワーの出湯の発生時間の平均値を計算する出湯発生時間検出手段（１５０ｈ）と、
前記平均値における前記加熱手段（３）の沸上可能湯量を計算し、その計算結果を前記第２の設定値（Ｖ２）とする設定値計算手段（１５０ｉ）と、
を更に備えることを特徴とする貯湯式給湯装置。
【請求項１０】
請求項１〜９の何れかに記載の貯湯式給湯装置であって、
前記貯湯タンク（５）内の残湯量を検出する残湯量検出手段（１５０ａ）と、
前記加熱手段（３）の第１の出力値によって前記第２時刻（ｔ１）から前記第１時刻（ｔ２）までに沸き上げる事が可能な第１湯量を計算し、前記第２時刻における前記残湯量と前記第１湯量とを足した第２湯量を計算し、前記第２湯量と前記第２の設定値（Ｖ２）とを比較する演算手段と、
を更に備え、
前記制御手段（１５０ｄ）は、前記演算手段の比較結果、前記第２湯量が前記第２の設定値以上でない場合は、前記加熱手段の出力値を前記第１の出力値よりも大きい第２の出力値に設定することを特徴とする貯湯式給湯装置。
【請求項１１】
請求項１〜９の何れかに記載の貯湯式給湯装置であって、
前記制御手段（１５０ｄ）は、前記第２時刻（ｔ１）から前記第１時刻（ｔ２）までの時間が短いほど、前記加熱手段（３）の出力値を大きくすることを特徴とする貯湯式給湯装置。
【発明の詳細な説明】
【技術分野】
【０００１】
本発明は、浴槽に対する湯張または追い焚きの完了予定時刻の設定が可能な貯湯式給湯装置に関する。
【背景技術】
【０００２】
最近の貯湯式給湯装置では、設置スペースを小さくするために小容量の貯湯タンクを用いており、湯張りまたは追い焚き等の大量出湯に備えて頻繁に貯湯タンク内の水を沸き上げることで、湯切れを防止している。
【０００３】
しかし、貯湯タンク内の残湯量を多く確保すると、（ｉ）貯湯タンク内の水（即ち、電力料金の安価な深夜時間帯で沸き上げられるべき水）が少なくなり、結果的に電力料金の高い昼間時間帯で沸き上げられる水の比率が増し、経済性が損なわれるという問題、および（ii）貯湯タンク内の湯からの放熱が多くなり、これによっても経済性が損なわれるという問題が生じる。
【０００４】
この問題を解決する技術として、特許文献１に記載の貯湯式給湯装置が知られている。この給湯装置では、浴槽に対する湯張りまたは追い焚き等の大量出湯が発生すると、貯湯タンク内の水の沸き上げを開始する残湯量（以後、起動残湯量と呼ぶ）を通常よりも低くに変更して、大量出湯の発生後は、貯湯タンク内の残湯量を必要最低限の量に保つことで、湯切れ防止と経済性の両立を図っている。
【先行技術文献】
【特許文献】
【０００５】
【特許文献１】特開２００２−１３０８０４号公報
【発明の概要】
【発明が解決しようとする課題】
【０００６】
特許文献１の貯湯式給湯装置では、大量出湯が発生するまでは、起動残湯量は、大量出湯に備えて高く設定されるので、大量出湯の発生時刻が遅かったり、大量出湯が発生しなかった場合は、一日の大半で貯湯タンクの残湯量が多く保たれるため、経済性が十分に図られていないという問題がある。
【０００７】
また貯湯式給湯装置のなかには、浴槽に対する湯張りまたは追い焚きの完了予定時刻を予め設定しておくと、前記完了予定時刻から湯張りまたは追い焚きに要する時間遡った時刻（湯張りまたは追い焚き開始時刻）になると、自動的に湯張りまたは追い焚きが行われ、予定完了時刻に湯張りまたは追い焚きが完了されるものがある。
【０００８】
この発明の課題は、上記のような問題点を解決するためになされたものであり、浴槽に対する湯張りまたは追い焚きの開始時刻が予め設定可能な機能を利用して、湯切れを抑制しつつ、経済性を一層向上できる貯湯式給湯装置を提供することにある。
【課題を解決するための手段】
【０００９】
上記課題を解決する為に、本発明の第１の態様は、貯湯タンク（５）と、前記貯湯タンク内の水を加熱する加熱手段（３）と、前記貯湯タンク内の残湯量を検出する残湯量検出手段（１５０ａ）と、前記残湯量検出手段が検出した前記残湯量である検出残湯量が、前記加熱手段を起動させるべき起動残湯量以下である場合は、前記加熱手段を起動させる制御手段（１５０ｄ）と、湯張りまたは追い焚きの予約に応じて、前記貯湯タンク内の湯を用いて所定の浴槽（９）に対する湯張りまたは追い焚きを開始する第１時刻（ｔ２）を設定する開始時刻設定手段（１５０ｂ）と、湯張りまたは追い焚きが予約された第２時刻（ｔ１）が第１時刻（ｔ２）よりも早い場合は、前記第２時刻から前記第１時刻までの間における所定の時間帯において前記起動残湯量を第２時刻よりも前の起動残湯量である第１の設定値（Ｖ１）からそれよりも高い第２の設定値（Ｖ２）に変更する設定値変更手段（１５０ｃ）と、を備えるものである。
【００１０】
本発明の第２の態様は、第１の態様に記載の貯湯式給湯装置であって、前記設定値変更手段（１５０ｃ）は、前記第２時刻（ｔ１）に、前記起動残湯量を前記第１の設定値（Ｖ１）から前記第２の設定値（Ｖ２）に変更するものである。
【００１１】
本発明の第３の態様は、第１の態様に記載の貯湯式給湯装置であって、前記設定値変更手段（１５０ｃ）は、前記第２時刻（ｔ１）から前記第１時刻（ｔ２）までの時間内の複数の時刻に亘って、前記起動残湯量を前記第１の設定値（Ｖ１）から前記第２の設定値（Ｖ２）まで段階的に変更するものである。
【００１２】
本発明の第４の態様は、請求項３に記載の貯湯式給湯装置であって、前記設定値変更手段（１５０ｃ）は、前記複数の時刻に亘って、前記起動残湯量を一定量（ΔＶ）ずつ増大させるものである。
【００１３】
本発明の第５の態様は、第３の態様に記載の貯湯式給湯装置であって、前記複数の時刻の各時刻（ｔ１，ｔ１＋Δｔ，ｔ１＋２Δｔ）において、その時刻から次ぎの時刻までの間（ｔ１〜ｔ１＋Δｔ，ｔ１＋Δｔ〜ｔ１＋２Δｔ，ｔ１＋２Δｔ〜ｔ２）の前記貯湯タンクの出湯量平均値を計算し、その出湯量平均値と前記湯張りまたは前記追い焚きに必要な湯量とを加算して、その加算結果をその時刻の時刻間設定値とする設定値計算手段（１５０ｆ）を更に備え、前記設定値変更手段（１５０ｃ）は、前記複数の時刻の各時刻において、前記起動残湯量を、その時刻の前記時刻間設定値に変更するものである。
【００１４】
本発明の第６の態様は、第２の態様に記載の貯湯式給湯装置であって、前記第２時刻（ｔ１）から前記第１時刻（ｔ２）までの前記貯湯タンク（５）の出湯量平均値を算出し、且つ前記加熱手段（３）によって前記第２時刻から前記第１時刻までに沸き上げる事が可能な第１湯量を計算し、且つ前記湯張りまたは前記追い焚きに必要な第２湯量に対して前記第１湯量を減算すると共に前記出湯量平均値を加算した第３湯量を計算し、前記第３湯量を前記第２の設定値（Ｖ２）とする設定値計算手段（１５０ｇ）を更に備えるものである。
【００１５】
本発明の第７の態様は、第２の態様に記載の貯湯式給湯装置であって、前記第２の設定値（Ｖ２）は、前記湯張りまたは前記追い焚きに必要な湯量と、前記貯湯タンク（５）内の前記湯を用いたシャワー１回分の出湯に必要な湯量の平均値とを加算した湯量であるものである。
【００１６】
本発明の第８の態様は、第２の態様に記載の貯湯式給湯装置であって、前記第２の設定値（Ｖ２）は、前記湯張りまたは前記追い焚きに必要な湯量と、前記貯湯タンク（５）内の湯を用いたシャワーによる出湯の発生時間の平均値における前記加熱手段の沸上可能湯量とを加算した湯量であるものである。
【００１７】
本発明の第９の態様は、第８の態様に記載の貯湯式給湯装置であって、一定期間に亘って前記貯湯タンク（５）内の湯を用いたシャワーの出湯の発生時刻を検出し、その検出結果に基づき前記シャワーの出湯の発生時間の平均時間を計算する出湯発生時間検出手段（１５０ｈ）と、前記平均時間における前記加熱手段（３）の沸上可能湯量を計算し、その計算結果を前記第２の設定値（Ｖ２）とする設定値計算手段（１５０ｉ）と、を更に備えるものである。
【００１８】
本発明の第１０の態様は、第１〜第９の態様の何れかに記載の貯湯式給湯装置であって、前記貯湯タンク（５）内の残湯量を検出する残湯量検出手段（１５０ａ）と、前記加熱手段（３）の第１の出力値によって前記第２時刻（ｔ１）から前記第１時刻（ｔ２）までに沸き上げる事が可能な第１湯量を計算し、前記第２時刻における前記残湯量と前記第１湯量とを足した第２湯量を計算し、前記第２湯量と前記第２の設定値（Ｖ２）とを比較する演算手段と、を更に備え、前記制御手段（１５０ｄ）は、前記演算手段の比較結果、前記第２湯量が前記第２の設定値以上の場合は、前記加熱手段の出力値を前記第１の出力値に設定し、他方、前記第２湯量が前記第２の設定値以上でない場合は、前記加熱手段の出力値を前記第１の出力値よりも大きい第２の出力値に設定するものである。
【００１９】
本発明の第１１の態様は、第１〜第９の態様の何れかに記載の貯湯式給湯装置であって、前記制御手段（１５０ｄ）は、前記第２時刻（ｔ１）から前記第１時刻（ｔ２）までの時間が短いほど、前記加熱手段（３）の出力値を大きくするものである。
【発明の効果】
【００２０】
本発明の第１の態様によれば、湯張りまたは追い焚きを開始する第１時刻（ｔ２）が設定されると、湯張りまたは追い焚きの完了予約時刻の設定時刻（第２時刻）ｔ１から時刻ｔ２までの時間内で、起動残湯量が第１の設定値（Ｖ１）からそれよりも高い第２の設定値（Ｖ２）に変更されるので、湯張りまたは追い焚きの際の湯切れを抑制できる。
【００２１】
本発明の第２の態様によれば、起動残湯量の簡単な制御により、湯切れを抑制できる。
【００２２】
本発明の第３の態様によれば、起動残湯量を段階的に変更するので、残湯量が急に増え過ぎる事を抑制できて、残湯量からの放熱を抑制できる。
【００２３】
本発明の第４の態様によれば、簡単な制御で起動残湯量を段階的に変更できる。
【００２４】
本発明の第５の態様によれば、前記複数の時刻の各時刻において、起動残湯量を、その時刻における貯湯タンクの出湯量の平均値を考慮して最適な量に変更できる。
【００２５】
本発明の第６の態様によれば、第２時刻（ｔ１）から第１時刻（ｔ２）までの間において、湯張りまたは追い焚きに要する必要最小限の湯量を確保でき、残湯量からの放熱を最小限に抑制できる。
【００２６】
本発明の第７の態様によれば、湯張りまたは追い焚き開始時に、湯張りまたは追い焚きに必要な湯量とシャワー１回分の出湯に必要な湯量とをおおよそ確保できる。
【００２７】
本発明の第８の態様によれば、第２の設定値として、湯張りまたは追い焚きに必要な湯量と、シャワー１回分の出湯量とを考慮した値にできる。
【００２８】
本発明の第９の態様によれば、利用者によるシャワーの使用状況に応じて前記沸上可能湯量を最適な値（従って前記第２の設定値を適切な値）に設定できる。
【００２９】
本発明の第１０の態様によれば、沸上時間が足りなくて残湯量を第１時刻（ｔ２）までに第２の設定値（Ｖ２）以上にできない場合は、加熱手段（３）の設定値が第１の出力値よりも高い第２の出力値に設定されるので、沸上時間が足りない場合でも、湯張りまたは追い焚きの際の湯切れを抑制できる。
【００３０】
本発明の第１１の態様によれば、第２時刻（ｔ１）から第１時刻（ｔ２）までの時間が短くても、湯張りまたは追い焚きの際の湯切れを抑制できる。
【図面の簡単な説明】
【００３１】
【図１】第１実施形態に係る貯湯式給湯装置１の配管を中心とした構成概略図である。
【図２】第１実施形態に係る貯湯式給湯装置１の制御装置１５０の構成概略図である。
【図３】第１実施形態に係る貯湯式給湯装置１の主要部分の動作を説明するフローチャートである。
【図４】第１実施形態に係る貯湯式給湯装置１における一定期間の沸き上げ動作を説明する図である。
【図５】第２実施形態に係る貯湯式給湯装置１Ｂの主要部分の動作を説明するフローチャートである。
【図６】第２実施形態に係る貯湯式給湯装置１Ｂにおける一定期間の沸き上げ動作を説明する図である。
【図７】第３実施形態に係る貯湯式給湯装置１Ｃの制御装置１５０Ｃの構成概略図である。
【図８】第４実施形態に係る貯湯式給湯装置１Ｄの主要部分の動作を説明するフローチャートである。
【図９】第５実施形態に係る貯湯式給湯装置１Ｅの制御装置１５０Ｅの構成概略図である。
【図１０】第６実施形態に係る貯湯式給湯装置１Ｆの制御装置１５０Ｆの構成概略図である。
【図１１】第６実施形態に係る貯湯式給湯装置１Ｆの主要部分の動作を説明するフローチャートである。
【図１２】第７実施形態に係る貯湯式給湯装置１Ｇの制御装置１５０Ｇの構成概略図である。
【図１３】第７実施形態に係る貯湯式給湯装置１Ｇの主要部分の動作を説明するフローチャートである。
【図１４】第１実施形態に係る貯湯式給湯装置１における一定期間の沸き上げ動作の変形例を説明する図である。
【発明を実施するための形態】
【００３２】
＜第１実施形態＞
≪全体構成≫
この実施形態に係る貯湯式給湯装置１は、図１の様に、ヒートポンプユニット（加熱手段）３により沸き上げられた湯を貯湯タンク５に貯湯し、利用者の操作に応じて、その貯湯した湯を、浴槽９または給湯部（例えば蛇口またはシャワー）７から出湯し、且つその貯湯した湯と浴槽９内の湯水との間で熱交換を行って浴槽９内の湯水の追い焚きを行うものである。
【００３３】
貯湯タンク５は、例えば円筒状に形成されており、例えば１８０Ｌ（Ｌ：リットル）の容量を有している。貯湯タンク５の上部には、缶体上サーミスタ（水温検出手段）Ｔ１が配設されており、貯湯タンク５の側面には、複数の残湯量サーミスタ（水温検出手段）Ｔ２〜Ｔ６が、上下に沿って間隔を空けて配設されている。各サーミスタＴ１〜Ｔ６は、貯湯タンク５内の湯水の温度を測定するものである。
【００３４】
各サーミスタＴ１〜Ｔ６はそれぞれ、貯湯タンク５の残湯量Ｋ（例えばＫ＝ゼロＬ）、残湯量Ａ（例えばＡ＝２０Ｌ），残湯量Ｂ（例えばＢ＝５０Ｌ），残湯量Ｃ（例えばＣ＝８０Ｌ），残湯量Ｄ（例えばＤ＝１２０Ｌ），残湯量Ｅ（例えばＥ＝１５０Ｌ）に対応する高さ位置に配設されている。尚、貯湯タンク５内は常に湯水で満たされており、湯は貯湯タンク５の上部側から順に貯湯される。
【００３５】
各サーミスタＴ１〜Ｔ６はそれぞれ、貯湯タンク５の残湯量Ｋ（例えばＫ＝ゼロＬ）、残湯量Ａ（例えばＡ＝５０Ｌ），残湯量Ｂ（例えばＢ＝１００Ｌ），残湯量Ｃ（例えばＣ＝１９０Ｌ），残湯量Ｄ（例えばＤ＝２４０Ｌ），残湯量Ｅ（例えばＥ＝３００Ｌ）に対応する高さ位置に配設されている。尚、貯湯タンク５内は常に湯水で満たされており、湯は貯湯タンク５の上部側から順に貯湯される。
【００３６】
貯湯タンク５の底面には、貯湯タンク５内に給水するための給水口５ａが設けられている。この給水口５ａは、第１給水管ｈ１を介して、水道水が供給される第２給水管ｈ２の分岐点Ｎ１に分岐接続されている。第１給水管ｈ１には、第２給水管ｈ２から流入した水が逆流する事を防止するための逆止弁Ｂ１と、第１給水管ｈ１に流れる水の水温を検出する水温サーミスタ（水温検出手段）Ｔ７とが配設されている。
【００３７】
また貯湯タンク５の底面には、吐出口５ｂが設けられている。この吐出口５ｂは、第１吐出管ｈ３を介して第２吐出管ｈ４に分岐接続されている。各吐出管ｈ３，ｈ４の分岐接続点には、排水用三方弁Ｂ２が配設されている。
【００３８】
尚、第２吐出管ｈ４の一端口は、ＨＰ（ヒートポンプユニット）循環往き口１１に接続されており、また第２吐出管ｈ４の他端口は、排水接続口１３に接続されている。ＨＰ循環往き口１１は、循環配管ｈ５を介してＨＰ循環戻り口１５に接続されており、排水接続口１３は、外部の排水管ｈ６に接続されている。
【００３９】
尚、循環配管ｈ５は、ヒートポンプユニット３内に引き込まれている。ヒートポンプユニット３により循環配管ｈ５が加熱されることで、循環配管ｈ５において、ＨＰ循環往き口１１側から流入する水が沸き上げられてＨＰ循環戻り口１５側へと流出する。
【００４０】
尚、排水用三方弁Ｂ２は、例えば手動操作によりその弁体の開度が調整されることで、第１吐出管ｈ３からの水を、第２吐出管ｈ４におけるＨＰ循環往き口１１側または排水接続口１３側に流出させるものである。この排水用三方弁Ｂ２は、通常時は、第１吐出管ｈ３からの水をＨＰ循環往き口１１側に流出させるように調整されている。
【００４１】
第２吐出管ｈ４には、排水用三方弁Ｂ２とＨＰ循環往き口１１との間において、排水用三方弁Ｂ２からの水をＨＰ循環往き口１１側に送り出すための循環ポンプＰ１が配設されている。
【００４２】
貯湯タンク５の上面には、第１入湯口５ｃが設けられており、貯湯タンク５の底面には、第２入湯口５ｄが設けられている。第１入湯口５ｃは、第１入湯管ｈ７を介してＨＰ循環戻り口１５に接続されており、第２入湯口５ｄは、第２入湯管ｈ９を介して第１入湯管ｈ７に分岐接続されている。各入湯管ｈ７，ｈ９の分岐接続点には、三方弁Ｂ３が設けられている。
【００４３】
尚、三方弁Ｂ３は、電動モータによりその弁体の開度が調整される電動式である。三方弁Ｂ３は、後述の制御装置１５０の制御によりその弁体の開度が調整されることで、第１入湯管ｈ７にＨＰ循環戻り口１５側から流入する湯を、第１入湯管ｈ７を通じて第１入湯口５ｃ側に流出させ、または第２入湯管ｈ９を通じて第２入湯口５ｄ側に流出させるものである。
【００４４】
また貯湯タンク５の上面には、出湯口５ｅが設けられている。この出湯口５ｅは、第１出湯配管ｈ１０を介して給湯混合弁Ｂ４に接続されている。尚、第１出湯配管ｈ１０には、出湯口５ｅ側から流入する湯が逆流する事を防止するための逆止弁Ｂ５が配設されている。
【００４５】
給湯混合弁Ｂ４には、更に、第２給水管ｈ２の一端口が接続されると共に、給湯配管ｈ１１の一端口が接続されている。尚、第２給水管ｈ２の他端口は、給水接続口１７に接続されており、給水接続口１７には、外部からの給水管ｈ２０が接続されている。また給湯配管ｈ１１の他端口は、給湯接続口１９に接続されており、給湯接続口１９には、配管ｈ１２を介して給湯部（例えば蛇口またはシャワー）７が接続されている。
【００４６】
給湯混合弁Ｂ４は、電動モータによりその弁体の開度が調整される電動式である。給湯混合弁Ｂ４は、後述の制御装置１５０の制御によりその弁体の開度が調整されることで、第１出湯配管ｈ１０からの湯と第２給水管ｈ２からの水とを所望の混合比で混合し、その混合した湯を給湯配管ｈ１１を通じて給湯部７に流出させるものである。
【００４７】
尚、第２給水管ｈ２には、例えば、給水接続口１７と分岐点Ｎ１との間において、減圧弁Ｂ７と、逆止弁Ｂ６と、ストレーナＳ１とが配設されている。減圧弁Ｂ７は、給水接続口１７側から流入した水の水圧を所定の水圧（例えば１７０ｋＰａ）に減圧するものである。逆止弁Ｂ６は、給水接続口１７側から流入した水が逆流する事を防止するものである。ストレーナ２０は、給水接続口１７側から流入した水に含まれるゴミを取るものであり、そのメッシュ数は例えば＃６０である。また第２給水管ｈ２には、例えば、給湯混合弁Ｂ４と分岐点Ｎ１との間において、分岐点Ｎ１側から流入した水が逆流する事を防止するための逆止弁Ｂ８が配設されている。
【００４８】
給湯配管ｈ１１には、給湯配管ｈ１１を流れる湯の水量を検出する給湯水量センサ（水量検出手段）Ｗ２と、給湯配管ｈ１１を流れる湯の温度を検出する給湯サーミスタ（水温検出手段）Ｔ９とが配設されている。
【００４９】
貯湯タンク５の上面には、第２出湯口５ｆが設けられている。この第２出湯口５ｆは、第２出湯配管ｈ１４を介して湯張り混合弁Ｂ１１に接続されている。尚、第２出湯配管ｈ１４には、貯湯タンク５からの湯が逆流する事を防止するための逆止弁Ｂ１０が配設されている。
【００５０】
湯張り混合弁Ｂ１１には、更に、第３給水管ｈ１５の一端口が接続されると共に、第３出湯配管ｈ１６の一端口が接続されている。尚、第３給水管ｈ１５の他端口は、第２給水管ｈ２の分岐点Ｎ４に接続されている。分岐点Ｎ４は、例えば、第２給水管ｈ２における逆止弁Ｂ８と分岐点Ｎ１との間に位置している。また第３出湯配管ｈ１６の他端口は、風呂循環往き口２３に接続されており、風呂循環往き口２３には、配管ｈ１７を介して浴槽９が配設されている。
【００５１】
湯張り混合弁Ｂ１１は、電動モータによりその弁体の開度が調整される電動式である。湯張り混合弁Ｂ１１は、後述の制御装置１５０の制御によりその弁体の開度が調整されることで、第２出湯配管ｈ１４からの湯と第３給水管ｈ１５からの水とを所望の混合比で混合して、その混合した湯を、第３出湯配管ｈ１６を通じて浴槽９側に流出させるものである。
【００５２】
また第３出湯配管ｈ１６には、複合水弁２５が配設されている。複合水弁２５は、湯張り電磁弁Ｂ１２と、湯張り水量センサ（水量検出手段）Ｗ１と、逆止弁Ｂ１３，Ｂ１４と、排水弁Ｂ１６とを備えている。それら各要素Ｂ１２，Ｂ１３，Ｗ１，Ｂ１４は、湯張り混合弁Ｂ１１側からその順に第３出湯配管ｈ１６に配設されている。
【００５３】
尚、湯張り電磁弁Ｂ１２は、電動モータによりその弁体の開度が調整される電動式である。湯張り電磁弁Ｂ１２は、後述の制御装置１５０の制御によりその弁体の開度が調整されることで、第３出湯配管ｈ１６を流れる湯の水量を調整するものである。また湯張り水量センサＷ１は、第３出湯配管ｈ１６を流れる湯の水量を検出するものである。また各逆止弁Ｂ１３，Ｂ１４は、第３出湯配管ｈ１６を流れる湯が湯張り混合弁Ｂ１１側に逆流する事または浴槽９からの湯が混合弁Ｂ１１側に逆流する事を防止するものである。
【００５４】
第３出湯配管ｈ１６の分岐点Ｎ５には、外部に引き出された第４排水管ｈ２７の一端口が接続されており、排水弁Ｂ１６は、その第４排水管ｈ２７に配設されている。尚、分岐点Ｎ５は、例えば、逆止弁Ｂ１３と湯張り水量センサＷ１との間に位置している。
【００５５】
排水弁Ｂ１６は、その弁体が開成することで、第３出湯配管ｈ１６に貯まった湯水を第４排水管ｈ２７から外部に排出するものである。この排水弁Ｂ１６は、例えば、手動式に構成されて手動により、または電動式に構成されて後述の制御装置１５０の制御により、その弁体の開度が調整される様になっている。
【００５６】
また貯湯タンク５の底面には、追焚循環戻り口５ｇが設けられている。この追焚循環戻り口５ｇには、第１追焚循環配管ｈ２１の一端口が接続されている。第１追焚循環配管ｈ２１の他端口は、第２出湯配管ｈ１４の分岐点Ｎ８に接続されている。尚、分岐点Ｎ８は、第２出湯配管ｈ１４における逆止弁Ｂ１０と湯張り混合弁Ｂ１１の間に位置している。
【００５７】
また第１追焚循環配管ｈ２１の一部分は、追焚熱交換器２５内に取り込まれている。
【００５８】
また第１追焚循環配管ｈ２１の分岐点Ｎ１０は、第２出湯配管ｈ１４の分岐点Ｎ９に配管ｈ２２を介して接続されている。分岐点Ｎ９は、第２出湯配管ｈ１４における第２出湯口５ｆと逆止弁Ｂ１０との間に位置しており、分岐点Ｎ１０は、分岐点Ｎ８と追焚熱交換器２５との間に位置している。
【００５９】
また第２出湯配管ｈ１４の分岐点Ｎ８には、外部に引き出された第３排水管ｈ１３の一端口が接続されている。第３排水管ｈ１３には、負圧作動弁付き逃し弁Ｂ９が配設されている。負圧作動弁付き逃し弁Ｂ９は、貯湯タンク５内の水圧が所定の水圧（例えば１９０ｋＰａ）以上の場合は、その弁体を開成して、貯湯タンク５内の湯水を、各部５ｆ→Ｎ９→Ｂ１０→Ｎ８→ｈ１３→Ｎ１２→Ｂ９の経路を経て外部に排水し、他方、貯湯タンク５内の水圧が前記所定の水圧未満の場合は、その弁体を閉塞して、貯湯タンク５内の湯水が、上記の経路を経て外部に排水される事を禁止するものである。
【００６０】
また第２出湯配管ｈ１４の分岐点Ｎ９と第３排水管ｈ１３の分岐点Ｎ１２とは、配管ｈ２３を介して接続されており、配管ｈ２３には、分岐点Ｎ１２から分岐点Ｎ９に流れる湯が逆流する事を防止する逆止弁Ｂ１７が配設されている。尚、分岐点Ｎ１２は、第３排水管ｈ１３における分岐点Ｎ８と逃がし弁Ｂ９との間に位置している。
【００６１】
また第１追焚循環配管ｈ２１には、それに流れる湯を貯湯タンク５の追焚循環戻り口５ｇ側に循環させるための熱交換循環ポンプＰ３が配設されている。ここでは、循環ポンプＰ３は、例えば、第１追焚循環配管ｈ２１における追焚熱交換器２５と追焚循環戻り口５ｇとの間に配設されている。
【００６２】
第１追焚循環配管ｈ２１の分岐点Ｎ１３には、外部に引き出された第４排水管ｈ２４の一端口が接続されており、第４排水管ｈ２４には、第１追焚循環配管ｈ２１中に貯まった水を排水するための水抜き栓Ｂ１８が配設されている。水抜き栓Ｂ１８は、例えば手動式のものが用いられている。
【００６３】
第３出湯配管ｈ１６の分岐点Ｎ１４には、第２追焚循環配管ｈ２５の一端口が接続されている。第２追焚循環配管ｈ２５の他端口は、風呂循環戻り口２７に接続されており、風呂循環戻り口２７には、配管ｈ２６を介して浴槽９に接続されている。
【００６４】
第２追焚循環配管ｈ２５の一部分は、追焚熱交換器２５内に引き込まれており、第１追焚循環配管ｈ２１との間で熱交換可能になっている。
【００６５】
第２追焚循環配管ｈ２５には、風呂循環ポンプＰ４と、風呂サーミスタ（水温検出手段）Ｔ１０と、水流スイッチＳＷ１と、水位センサＹとが配設されている。
【００６６】
風呂循環ポンプＰ４は、浴槽９内の湯水を風呂循環戻り口２７から取り込んで第２追焚循環配管ｈ２５および第３出湯配管ｈ１６を循環させて風呂循環往き口２３から浴槽９内に戻すためのものである。風呂サーミスタＴ１０は、第２追焚循環配管ｈ２５を流れる湯水の温度を検出するものである。水流スイッチＳＷ１は、第２追焚循環配管ｈ２５内を湯水が一定値以上の水流で循環しているか否かを検出するものであり、例えば、一定値以上の水流を検出するとオンし、一定値以上の水流を検出しない場合はオフになる。水位センサＹは、浴槽９内の水位が浴槽９の追焚用吸水口９ａよりも高いか否かを検出するものであり、例えば、所定水圧以上の水圧を検出すると、浴槽９内の水位が追焚用吸水口よりも高い事を検出するものである。これら各要素Ｐ４，Ｔ１０，ＳＷ１，Ｙは、例えば、第２追焚循環配管ｈ２５における追焚熱交換器２５と風呂循環戻り口２７との間に配設されている。
【００６７】
またこの貯湯式給湯装置１は、図２の様に、制御装置１５０と、リモコン装置（設定入力手段）１６０とを備えている。制御装置１５０は、各サーミスタＴ１〜Ｔ１０および各水量センサＷ１，Ｗ２の検出結果に基づき、各弁Ｂ３，Ｂ４，Ｂ１１，Ｂ１２、ヒートポンプユニット３および各循環ポンプＰ１，Ｐ３，Ｐ４を制御するものである。またリモコン装置１６０は、利用者の操作を受け付けるものである。
【００６８】
制御装置１５０は、残湯量検出部（残湯量検出手段）１５０ａと、開始時刻設定部（開始時刻設定手段）１５０ｂと、設定値変更部（設定値変更手段）１５０ｃと、制御部（制御手段）１５０ｄとを備えている。
【００６９】
残湯量検出部１５０ａは、貯湯タンク５の残湯量を検出するものであり、各サーミスタＴ１〜Ｔ６の検出結果に基づき、貯湯タンク５内の湯と水との境界面のおおよその位置を検出し、その位置に基づき貯湯タンク５の残湯量を検出する。例えば、残湯量検出部１５０ａは、各サーミスタＴ１〜Ｔ３の検出温度が例えば７５℃の高温で、サーミスタＴ４〜Ｔ６の検出温度が例えば２０℃の低温である場合は、貯湯タンク５内の湯と水の境界面はおおよそサーミスタＴ３の高さ位置にあると判断し、貯湯タンク５の残湯量は、サーミスタＴ３の高さ位置に対応する残湯量Ｂであると検出する。
【００７０】
開始時刻設定部１５０ｂは、リモコン装置１６０に対して浴槽９に対する湯張りまたは追い焚きの完了を予定する完了予定時刻が設定入力されると、湯張りまたは追い焚きに要する所要時間を計算し、上記の完了予定時刻からその計算した所要時間遡った時刻を、湯張りまたは追い焚き開始時刻（以後、第１時刻と呼ぶ）として設定する。
【００７１】
尚、上記の追い焚きには、浴槽９に張られた水を湯張り設定温度まで沸き上げるほか、浴槽９内に湯が張られている場合は、その湯を湯張り設定温度に維持する風呂保温機能も含まれるものとする。
【００７２】
尚、湯張りに要する所要時間は、例えば、浴槽９の容量を、浴槽９からの湯の出湯速度で除算する事で算出可能である。上記の出湯速度は、例えば予め求めておいた値を使用すれば良い。また追い焚きに要する所要時間は、例えば、追焚用熱交換器２５により浴槽９内の湯水を１℃上昇させるのに要する時間と、浴槽９内の湯水の温度と追焚目標温度との差の温度とを乗算する事で算出可能である。尚、追焚用熱交換器２５により浴槽９内の湯水を１℃上昇させるのに要する時間は、貯湯タンク５内の湯の温度と浴槽９内の湯水の温度とに応じて予め求めておいた値を使用すれば良い。
【００７３】
設定値変更部１５０ｃは、開始時刻設定部１５０ｂにより第１時刻よりも早い或る時刻（以後、第２時刻と呼ぶ）において第１時刻が設定されると、その第２時刻から第１時刻までの間における所定の時間帯（例えば第２時刻から湯張り開始時刻までの時間帯）において起動残湯量（即ちヒートポンプユニット３を起動させるべき残湯量）Ｖを例えば設定値Ｖ１からそれよりも高い設定値Ｖ２に変更する。
【００７４】
尚、設定値Ｖ１は、例えば、貯湯タンク５の残湯量を極力少なくするために、湯張りに必要な湯量または追い焚きに必要な湯量よりも少ない量に設定される。また設定値Ｖ２は、例えば、湯張りまたは追い焚きに必要な湯量と、給湯部（例えばシャワー）７の１回分の出湯に必要な湯量の平均値とを足した量に設定される。
【００７５】
制御部１５０ｄは、残湯量検出部１５０ａが検出した残湯量が起動残湯量Ｖ以下である場合は、ヒートポンプユニット３およびポンプＰ１を起動させて貯湯タンク５内の水を沸き上げる。また制御部１５０ｄは、残湯量検出部１５０ａが検出した残湯量が停止残湯量（即ちヒートポンプユニット３を停止すべき残湯量）Ｕ以下である場合は、ヒートポンプユニット３およびポンプ１を停止させて貯湯タンク５内の水の沸き上げを停止する。
【００７６】
また制御部１５０ｄは、例えばリモコン装置１６０への入力操作に基づき、ヒートポンプユニット３およびポンプＰ１を起動すると共に三方弁Ｂ３を制御して、貯湯タンク５内の水の沸き上げを行う。また制御部１５０ｄは、リモコン装置１６０への入力操作に基づき、給湯混合弁Ｂ４の開度を制御して給湯部７から出湯する湯の温度を調整する。また制御部１５０ｄは、リモコン装置１６０への入力操作に基づき、湯張り混合弁Ｂ１１の開度を制御して浴槽９に出湯する湯の温度を調整すると共に、湯張り電磁弁Ｂ１２の開度を制御して浴槽９への出湯を制御する。また制御部１５０ｄは、現在時刻が第１時刻になると、各ポンプＰ３，Ｐ４を起動して、浴槽９内の湯水を所定温度（例えばリモコン装置１６０に設定入力された追焚目標温度）になるまで追い焚きを行う。
【００７７】
≪基本動作≫
この貯湯式給湯装置１では、外部の給水管ｈ２０中の水がその水圧により各部ｈ２→Ｎ１→ｈ１→Ｂ１→５ａを通じて貯湯タンク５に供給されて、貯湯タンク５は常に満水状態に保たれる。
【００７８】
そして貯湯タンク５内の水を沸き上げる場合は、制御部１５０ｄの制御により、三方弁Ｂ３がまず第２入湯口５ｄ側に全開され（即ち第１入湯口５ｃ側は全閉され）、且つヒートポンプユニット３およびポンプＰ１が起動される。このポンプＰ１の起動により、貯湯タンク５内の水は、各部５ｂ→Ｂ２→Ｐ１→１１→ｈ５→１５→Ｂ３→５ｄの経路を経て流れる。またこのヒートポンプユニット３の起動により、循環配管ｈ５がヒートポンプユニット３により加熱され、循環配管ｈ５を流れる水が沸き上げられ、その沸き上げられた水は、第２入湯口５ｄから貯湯タンク５の下部に戻される。
【００７９】
そして一定時間経過して、ヒートポンプユニット３による加熱により所定の高温（例えば７５℃）の湯が沸き上がると、制御部１５０ｄの制御により、三方弁Ｂ３が第１入湯口５ｃ側に全開される（即ち第２入湯口５ｄ側は全閉される）。これにより、貯湯タンク５内の水は、各部５ｂ→Ｂ２→Ｐ１→１１→ｈ５→１５→Ｂ３→５ｃの経路を経て流れ、その経路の途中で加熱されて、第１入湯口５ｃから貯湯タンクの上部に戻される。この状態が継続されることで、貯湯タンク５内の水は、ヒートポンプユニット３により所定の高温に沸き上げられて、貯湯タンク５の上部から貯湯されて行く。
【００８０】
その際、残湯量検出部１５０ａは、貯湯タンク５に配設された各サーミスタＴ１〜Ｔ６の検出結果基づき、貯湯タンク５の残湯量を検出している。そして貯湯タンク５の残湯量が所定量に達すると、制御部１５０ｄは、ヒートポンプユニット３およびポンプＰ１を停止して、貯湯タンク５内の水の沸き上げを停止する。
【００８１】
また給湯部７から所望の給湯温度の湯を出湯する場合は、まず利用者によりモコン装置１６０に所望の給湯温度の設定が入力される。そして利用者により給湯部７が開操作されると、貯湯タンク５内の湯が第１出湯配管ｈ１０を通じて給湯混合弁Ｂ４に流入すると共に第２給水管ｈ２からの水が給湯混合弁Ｂ４に流入して、給湯混合弁Ｂ４において、それら湯および水が所定の混合比で混合されて給湯配管ｈ１１を通じて給湯部７から出湯される。その際、給湯サーミスタＴ９により給湯配管ｈ１１に流れる湯の温度が検出され、その検出温度が上記の所望の給湯温度になる様に、制御部１５０ｄにより給湯混合弁Ｂ４の弁体の開度が制御され、給湯部７から出湯される湯の温度が上記の所望の給湯温度に調整される。
【００８２】
また浴槽９に湯張りを行う場合は、まず利用者によりモコン装置１６０に所望の湯張り温度および所望の湯張り湯量が設定される。そして利用者によりリモコン装置１６０に湯張り開始の操作が入力されると、制御部１５０ｄにより湯張り電磁弁Ｂ１２の弁体が開成される。これにより貯湯タンク５内の湯が各部５ｆ→Ｎ９→Ｂ１０→Ｎ８を通じて湯張り混合弁Ｂ１１に流入すると共に第２給水管ｈ２からの水が各部ｈ２→Ｎ４を通じて湯張り混合弁１１に流入して、湯張り混合弁１１において、それら湯と水とが所定の混合比で混合されて第３出湯配管ｈ１６を通じて浴槽９に出湯される。その際、給湯サーミスタＴ８により第３出湯配管ｈ１６に流れる湯の温度が検出され、その検出温度が上記の所望の湯張り温度になる様に、制御部１５０ｄにより湯張り電磁弁Ｂ１１の弁体の開度が制御され、浴槽９に出湯される湯の温度が上記の所望の湯張り温度に調整される。尚、その際、ポンプＰ３は停止しているので、貯湯タンク５内の湯が第１追焚循環配管ｈ２１を流れて貯湯タンク５の追焚循環戻り口５ｇに戻る循環が発生すると、湯張り混合弁Ｂ１１に流入する湯量が変化して湯張り開始時刻の制度が悪化するため、これを防ぐべくポンプＰ３を停止する事が望ましい。
【００８３】
そして制御部１５０ｄにより、湯張り水量センサＷ１の検出結果に基づき、浴槽９に上記の所望の湯張り湯量の湯が出湯された事が検知されると、湯張り電磁弁Ｂ１２の弁体が閉塞されて、浴槽９への湯張りが終了する。尚、リモコン装置１６０に湯張りの完了を予定する時刻が設定入力された場合は、後述の様に、その完了予定時刻に湯張りが完了する様に湯張り開始時刻が計算されて湯張りが行われる。
【００８４】
また浴槽９内の湯水の追い焚きを行う場合は、リモコン装置１６０に入力された追焚開始の指示に応じて、制御部１５０ｄの制御により、各循環ポンプＰ３，Ｐ４が起動される。これにより、貯湯タンク５内の湯は、各部５→５ｆ→Ｎ９→Ｂ１０→Ｎ８→Ｎ１０または各部５→５ｆ→Ｎ９→ｈ２２→Ｎ１０を経て、更に各部Ｎ１０→２５→Ｎ１３→Ｐ３→５ｇ→５を経て追焚用熱交換器２５と貯湯タンク５との間を循環する。そして浴槽９内の湯水は、各部９→ｈ２６→２７→Ｙ→ＳＷ１→Ｔ１０→Ｐ４→２５→Ｎ１４→２３→ｈ１７→９を経て追焚熱交換器２５と浴槽９との間を循環する。そして追焚用熱交換器２５内で、貯湯タンク５からの湯と浴槽９からの湯水との間で熱交換が行われて、浴槽９内の湯水が追い焚きされる。そして制御部１５０ｄにより、風呂サーミスタＴ１０の検出温度に基づき、浴槽９からの湯水の温度がリモコン装置１６０に予め設定された追焚温度になった事が検知されると、制御部１５０ｄの制御により、各循環ポンプＰ３，Ｐ４が停止されて追い焚きが終了する。
【００８５】
尚、熱交換器２５で熱交換された貯湯タンク５からの湯は、水として追焚循環戻り口５ｇから貯湯タンク５に戻されるので、追い炊きにより第２出湯口５ｆから出湯した湯量の分だけ貯湯タンク５の残湯量は減少する。
【００８６】
尚、リモコン装置１６０に追い焚きの完了を予定する時刻が設定入力された場合は、後述の様に、その完了予定時刻に追い焚きが完了する様に追い焚き開始時刻が計算されて追い焚きが行われる。
【００８７】
≪浴槽９に対する湯張りまたは追い焚きの完了予定時刻が設定入力された場合の動作≫
図３は、浴槽９に対する湯張りまたは追い焚きの完了予定時刻が設定された場合の動作を説明するフローチャートである。以下では、まず浴槽９に対する湯張りの完了予定時刻が設定された場合で動作を説明する。
【００８８】
まずステップＳ０で、制御部１５０ｄにより、所定時刻（例えば７：００）に初期的に、起動残湯量Ｖが設定値Ｖ１に設定され、停止残湯量Ｕが設定値Ｕ１に設定される。
【００８９】
そしてステップＳ１で、制御部１５０ｄにより、残湯量検出部１５０ａの検出結果に基づき、貯湯タンク５の残湯量が起動残湯量Ｖ以下であるか否かの判定が行われる。そしてその判定の結果、残湯量が起動残湯量Ｖ以下でない場合は、処理がステップＳ３に進む。他方、残湯量が起動残湯量Ｖ以下である場合は、ステップＳ２で、制御部１５０ｄにより、ヒートポンプユニット３およびポンプＰ１が起動されて貯湯タンク５内の水が沸き上げられて、処理がステップＳ３に進む。
【００９０】
そしてステップＳ３で、制御部１５０ｄにより、残湯量検出部１５０ａの検出結果に基づき、貯湯タンク５の残湯量が停止残湯量Ｕ以上であるか否かの判定が行われる。そしてその判定の結果、残湯量が停止残湯量Ｕ以上でない場合は、処理がステップＳ５に進む。他方、残湯量が停止残湯量Ｕ以上である場合は、ステップＳ４で、制御部１５０ｄにより、ヒートポンプユニット３およびポンプＰ１が停止されて貯湯タンク５内の水の沸き上げが停止される。そして、処理がステップＳ５に進む。
【００９１】
そしてステップＳ５で、開始時刻設定部１５０ｂにより、既に湯張りの完了予定時刻ｔ３が設定入力されているか否か（即ち既に湯張り開始時刻ｔ２が設定されているか否か）の判定が行われる。その判定の結果、既に湯張りの完了予定時刻ｔ３が設定入力されている場合は、処理がステップＳ９に進み、未だ湯張りの完了予定時刻ｔ３が設定入力されていない場合は、処理がステップＳ６に進む。
【００９２】
そしてステップＳ６で、開始時刻設定部１５０ｂにより、リモコン装置１６０を介しての湯張りの完了予定時刻ｔ３の設定入力があったか否かの判定が行われる。その判定の結果、完了予定時刻ｔ３の設定入力があった場合は、ステップＳ７で、開始時刻設定部１５０ｂにより、湯張りに要する所要時間Δｔ３が計算され、上記の完了予定時刻ｔ３から所要時間Δｔ３遡った時刻ｔ２（＝ｔ３−Δｔ３）が湯張り開始時刻として設定される。他方、その判定の結果、完了予定時刻の設定入力がなかった場合は、ステップＳ１の処理も戻る。
【００９３】
そしてステップＳ７と並行してステップＳ８で、設定値変更部１５０ｃにより、起動残湯量Ｖが設定値Ｖ２に変更される。これにより、貯湯タンク５の残湯量がおおよそ設定値Ｖ２以上に維持される。そして処理がステップＳ９に進む。
【００９４】
ステップＳ９では、制御部１５０ｄにより、現在時刻と湯張り開始時刻ｔ２との比較が行われ、その比較の結果、現在時刻が湯張り開始時刻ｔ２以降である場合は、ステップＳ１０で、制御部１５０ｄにより、浴槽９への湯張りが行われる。即ち制御部１５０ｄにより各弁Ｂ１１，Ｂ１２が制御されて、貯湯タンク５内の湯が上記の≪基本動作≫の様にして浴槽９に出湯される。そして浴槽９に所定量（例えばリモコン装置１６０に設定入力された湯張り湯量）の湯が張られると、制御部１５０ｄにより湯張りが終了される。
【００９５】
そしてステップＳ１１で、開始時刻設定部１５０ｂにより、ステップＳ６で設定入力された完了予定時刻ｔ３、およびステップＳ７で設定された湯張り開始時刻ｔ２が解除される。そしてステップＳ０の処理に戻る。
【００９６】
尚、この動作説明では湯張りの場合で説明したが、追い焚きの場合も、湯張りの場合と同様の処理の流れで考えればよい。
【００９７】
図４は、貯湯タンク５の残湯量Ｑの一定期間の変化の状況の一例を示した図であり、縦軸は貯湯タンク５の残湯量Ｑを示し、横軸は時刻を示している。次に、図３の動作を図４に当てはめて説明する。
【００９８】
時刻ｔ０（例えば７：００）では、貯湯タンク５の残湯量Ｑは貯湯タンク５の全量状態にあり、停止残湯量Ｕは設定値Ｕ１（ここではＵ１＝全量）に設定されており、起動残湯量Ｖは設定値Ｖ１に設定されている（ステップＳ０）。
【００９９】
時刻ｔ０〜ｔ１では、貯湯タンク５の残湯量Ｑは、例えば、各設定値Ｖ１，Ｕ１間において例えば給湯部７からの出湯により少しずつ減少している。この状況では、残湯量Ｑは各設定値Ｖ１，Ｕ１の間にあるので、制御部１５０ｄにより、ステップＳ１→Ｓ３→Ｓ５→Ｓ６→Ｓ１の処理が繰り返され、貯湯タンク５内の水の沸き上げは行われない。
【０１００】
そして時刻ｔ１（第２時刻）で、リモコン装置１６０を介して湯張りの完了予定時刻ｔ３が設定入力されると、開始時刻設定部１５０ｂにより完了予定時刻ｔ３が設定入力されたと判定されて、開始時刻設定部１５０ｂにより湯張り開始時刻（第１時刻）ｔ２が設定されると共に、設定値変更部１５０ｃにより起動残湯量Ｖが設定値Ｖ２に変更される（ステップＳ６→Ｓ７→Ｓ８）。そしてステップＳ９を経てステップＳ１に戻る。また時刻ｔ１では、残湯量Ｑは設定値Ｖ２よりも低いので、ステップＳ１→Ｓ２の処理が行われて、制御部１５０ｄにより貯湯タンク５内の水が沸き上げられる。
【０１０１】
そして時刻ｔ１〜ｔ２では、ステップＳ１〜Ｓ５→Ｓ９→Ｓ１の処理が繰り替えされて、残湯量Ｑは、曲線Ｑ１の様に、設定値Ｖ２以下になると、制御部１５０ｄにより貯湯タンク５内の水の沸き上げが行われて増加され、設定値Ｕ１以上になると、貯湯タンク５内の水の沸き上げが停止され、おおよそ各設定値Ｖ２，Ｕ１間に維持される。
【０１０２】
そして時刻ｔ２になると、制御部１５０ｄにより浴槽９に対して湯張りが行われる。その際、残湯量Ｑは、おおよそ設定値Ｖ２以上（即ち湯張りに必要な湯量Ｑａ以上）に維持されているので、湯切れする事無く湯張りが行われ、時刻ｔ３に湯張りが完了する（ステップＳ１０）。そして、各時刻ｔ２，ｔ３の設定が解除され（ステップＳ１０）、ステップＳ１に戻る。
【０１０３】
この様に、湯張りの完了予定時刻ｔ３の設定時刻（即ち湯張りの開始時刻ｔ２の設定時刻）ｔ１で起動残湯量Ｖが設定値Ｖ２に変更されることで、湯張り開始時刻ｔ２で湯張りに必要な湯量Ｑａが確保され、湯張りの際に湯切れする事が抑制される。これに対して、時刻ｔ１で起動残湯量Ｖが設定値Ｖ１に維持された場合は、曲線Ｑ２の様に、湯張り開始時刻ｔ２で湯張りに必要な湯量Ｑａが確保できない場合が生じ、湯張りの際に湯切れが生じる場合がある。
【０１０４】
尚、この動作説明では湯張りの場合で説明したが、追い焚きの場合も、湯張りの場合と同様の処理の流れで考えればよい。
【０１０５】
以上の様に構成された貯湯式給湯装置１によれば、湯張りまたは追い焚きを開始する時刻（第１時刻）ｔ２が設定されると、湯張りまたは追い焚きの完了予約時刻の設定時刻（第２時刻）ｔ１から時刻ｔ２までの時間内で、起動残湯量Ｖが設定値Ｖ１からそれよりも高い設定値Ｖ２に変更されるので、湯張りまたは追い焚きの際の湯切れを抑制できる。ここでは特に、時刻ｔ２に、起動残湯量Ｖが設定値Ｖ１から設定値Ｖ２に変更されるので、起動残湯量Ｖの簡単な制御により、湯切れを抑制できる。
【０１０６】
また設定値Ｖ２は、湯張りまたは追い焚きに必要な湯量と、給湯部（例えばシャワー）７の１回分の出湯に必要な湯量の平均値とを足した湯量であるので、湯張りまたは追い焚きの開始時に、湯張りまたは追い焚きに必要な湯量と給湯部７の１回分の出湯に必要な湯量とをおおよそ確保できる。
【０１０７】
尚この実施形態では、図４の様に、湯張りの完了予定時刻ｔ３が設定入力された時刻ｔ１に、起動残湯量Ｖが設定値Ｖ１から設定値Ｖ２に変更されたが、図１４の様に、時刻ｔ１から所定時間経過した時刻であって湯張り開始時刻ｔ２よりも早い時刻ｔ４に、起動残湯量Ｖが設定値Ｖ１から設定値Ｖ２に変更される様にしても良い。第１実施形態では、朝に、夜に入浴するための湯張りの予約が設定されると、朝から夜に風呂が使用されるまでの長い期間に亘って起動残湯量が設定値Ｖ２に上昇されて電気代が嵩むが、上記の様に時刻ｔ４に起動残湯量Ｖが設定値Ｖ１から設定値Ｖ２に変更されると、朝に、夜に入浴するための湯張りの予約が設定されても電気代が嵩む事を防止できる。
【０１０８】
＜第２実施形態＞
この実施形態に係る貯湯式給湯装置１Ｂは、第１実施形態において、設定値変更部１５０ｃにより、湯張りまたは追い焚き開始時刻（第１時刻）ｔ２が設定された時刻（第２時刻）ｔ１から時刻ｔ２までの時間内の複数（ｎ個）の時刻に亘って、起動残湯量Ｖを設定値Ｖ１からそれよりも高い設定値Ｖ２まで段階的に変更させるものである。
【０１０９】
より詳細にはこの実施形態では、設定値変更部１５０ｃにより、時刻ｔ１と、時刻ｔ１から一定時間Δｔ経過する毎の（ｎ−１）個の各時刻ｔ１＋Δｔ〜ｔ１＋（ｎ−１）Δｔとからなるｎ個の時刻に亘って、起動残湯量Ｖが一定量ΔＶずつ増大される。尚ここでは例えば、Δｔ＝（ｔ２−ｔ１）／ｎ、ΔＶ＝（Ｖ２−Ｖ１）／ｎである。
【０１１０】
次に図５に基づき、貯湯式給湯装置１Ｂの動作（即ち浴槽９に対する湯張りの完了予定時刻が設定された場合の動作）を説明する。この貯湯式給湯装置１Ｂの当該動作は、図５の様に、第１実施形態の場合の動作（図３）において、ステップＳ８を省略して各ステップＳ７，Ｓ９の間に各ステップＳ１２，Ｓ１３を追加し、且つ各ステップＳ５，Ｓ９の間に各ステップＳ１４〜Ｓ１６を追加し、且つステップＳ９の後にステップＳ１７を追加したものである。以下、図３と同じステップは同じ符号を付して説明を省略して異なるステップだけ説明する。
【０１１１】
ステップＳ１２では、設定値変更部１５０ｃにより起動残湯量Ｖが一定量ΔＶだけ上げられる（即ち起動残湯量Ｖが設定値Ｖ１＋ΔＶに変更される）。そしてステップＳ１３で、設定値変更部１５０ｃにより一定時間Δｔの計時がスタートされる。そしてステップＳ９に進む。
【０１１２】
またステップＳ１４では、設定値変更部１５０ｃにより一定時間Δｔの計時を完了したか否かの判定が行われる。そしてその判定の結果、一定時間Δｔの計時を完了していない場合は、処理がステップＳ１に戻り、一定時間Δｔの計時が完了した場合は、設定値変更部１５０ｃにより起動残湯量Ｖが一定量ΔＶだけ上げられる。そしてステップＳ１５で、設定値変更部１５０ｃにより一定時間Δｔの計時が再スタートされる。そしてステップＳ９に進む。
【０１１３】
またステップＳ１７では、設定値変更部１５０ｃにより一定時間Δｔの計時が解除される。そして処理がステップＳ１に戻る。
【０１１４】
図６は、貯湯タンク５の残湯量Ｑの一定期間の変化の状況の一例を示した図であり、縦軸は貯湯タンク５の残湯量Ｑを示し、横軸は時刻を示している。次に、図５の動作を図６に当てはめて説明する。尚、図６は、説明便宜上、ｎ（即ち複数の時刻の数）＝３の場合で図示されている。尚、図６の時刻ｔ０〜ｔ１の動作は、図４の時刻ｔ０〜ｔ１の動作と同じなので説明を省略し、図６の時刻ｔ１以降の説明をする。
【０１１５】
時刻ｔ１（第２時刻）で、リモコン装置１６０を介して湯張りの完了予定時刻ｔ３が設定入力されると、開始時刻設定部１５０ｂにより完了予定時刻ｔ３が設定入力されたと判定されて、開始時刻設定部１５０ｂにより湯張り開始時刻（第１時刻）ｔ２が設定され、且つ設定値変更部１５０ｃにより、起動残湯量Ｖが一定量ΔＶだけ上げられる（即ち起動残湯量Ｖが設定値Ｖ１＋ΔＶに変更される）と共に一定時間Δｔの計時がスタートされる（ステップＳ６→Ｓ７→Ｓ１２→Ｓ１３）。そして処理がステップＳ９を経てステップＳ１に戻る。
【０１１６】
そして時刻ｔ１〜ｔ１＋Δでは、ステップＳ１〜Ｓ５→Ｓ１４→Ｓ１５→Ｓ１６→Ｓ９→Ｓ１の処理が繰り替えされて、残湯量Ｑは、おおよそ各設定値Ｖ１＋ΔＶ，Ｕ１間に維持される。そして時刻ｔ１＋Δｔになると、設定値変更部１５０ｃにより、起動残湯量Ｖが一定量ΔＶだけ上げられる（即ち起動残湯量Ｖが設定値Ｖ１＋２ΔＶに変更される）と共に一定時間Δｔの計時が再スタートされる（ステップＳ１４→Ｓ１５→Ｓ１６）。そして処理がステップＳ９を経てステップＳ１に戻る。
【０１１７】
そして時刻ｔ１＋Δｔ〜ｔ１＋２Δｔでは、ステップＳ１〜Ｓ５→Ｓ１４→Ｓ１５→Ｓ１６→Ｓ９→Ｓ１の処理が繰り替えされて、残湯量Ｑは、おおよそ各設定値Ｖ１＋２ΔＶ，Ｕ１間に維持される。そして時刻ｔ１＋２Δｔになると、設定値変更部１５０ｃにより、起動残湯量Ｖが一定量ΔＶだけ上げられる（即ち起動残湯量Ｖが設定値Ｖ２に変更される）と共に一定時間Δｔの計時が再スタートされる（ステップＳ１４→Ｓ１５→Ｓ１６）。そして処理がステップＳ９を経てステップＳ１に戻る。
【０１１８】
そして時刻ｔ１＋２Δｔ〜ｔ２では、ステップＳ１〜Ｓ５→Ｓ１４→Ｓ１５→Ｓ１６→Ｓ９→Ｓ１の処理が繰り替えされて、残湯量Ｑは、おおよそ各設定値Ｖ２，Ｕ１間に維持される。そして時刻ｔ２になると、制御部１５０ｄにより浴槽９に対して湯張りが行われる。その際、残湯量Ｑは、おおよそ設定値Ｖ２以上（即ち湯張りに必要な湯量Ｑａ以上）に維持されているので、湯切れする事無く湯張りが行われ、時刻ｔ３に湯張りが完了する（ステップＳ１０）。そして、各時刻ｔ２，ｔ３の設定が解除されると共に、一定時間Δｔの計時が解除される（ステップＳ１１→Ｓ１７）。そして処理がステップＳ１に戻る。
【０１１９】
尚、この動作説明では湯張りの場合で説明したが、追い焚きの場合も、湯張りの場合と同様の処理の流れで考えればよい。
【０１２０】
以上の様に構成された貯湯式給湯装置１Ｂによれば、起動残湯量Ｖが段階的に変更されるので、残湯量Ｑが急に増え過ぎる事を抑制できて、残湯量Ｑからの放熱を抑制できる。
【０１２１】
また起動残湯量Ｖは、複数の時刻に亘って一定量ΔＶずつ増大されるので、簡単な制御で起動残湯量Ｖを段階的に変更できる。
【０１２２】
＜第３実施形態＞
この実施形態に係る貯湯式給湯装置１Ｃは、第２実施形態において、各時刻ｔ１〜ｔ１＋（ｎ−１）Δｔにおいて、起動残湯量Ｖが、その時刻の貯湯タンク５の出湯量平均値と、湯張りまたは追い焚きに必要な湯量とを足した湯量（以後、その時刻の時刻間設定値と呼ぶ）に変更されるものである。尚、上記のその時刻の貯湯タンク５の出湯量平均値としては、上記のその時刻から一定時間Δｔ経過時の次の時刻までの時間内の貯湯タンク５の出湯量平均値が用いられる。
【０１２３】
この実施形態の制御装置１５０Ｃは、図７の様に、図２の制御装置１５０において更に、記憶部（記憶手段）１５０ｅと、設定値計算部（設定値計算手段）１５０ｆとを備えたものである。
【０１２４】
記億部１５０ｅには、例えば１日（２４時間）の一定時間δｔ（例えばδｔ≪Δｔ）毎の貯湯タンク５の出湯量平均値に関する第１情報と、湯張りまたは追い焚きに必要な湯量に関する第２情報とが記憶されている。
【０１２５】
尚、前記第１情報は、予め計算して記憶部１５ｅに固定値として記憶されても良く、または、貯湯タンク５の出湯量を検出する出湯量検出部（出湯量検出手段）を追加し、その出湯量検出部により、一定期間に亘って一定時間δｔ毎の貯湯タンク５の出湯量を検出させ、その検出結果に基づき、例えば設定値変更部１５０ｃにより当該第１情報を計算させ、その計算結果を記憶部１５０ｅに記憶させても良い。
【０１２６】
設定値計算部１５０ｆは、記憶部１５０ｅに記憶された前記第１情報に基づき、各時刻ｔ１〜ｔ１＋（ｎ−１）Δｔにおいて、その時刻から一定時間Δｔ経過時の次の時刻までの時間内の前記出湯量平均値を計算し、更に、この出湯量平均値と、前記第２情報から得られる湯張りまたは追い焚きに必要な湯量とを加算することで、各時刻ｔ１〜ｔ１＋（ｎ−１）Δｔにおいて、その時刻から一定時間Δｔ経過時の次の時刻までの間の前記時刻間設定値（即ちその時刻の前記時刻間設定値）を計算する。
【０１２７】
またこの実施形態の設定値変更部１５０ｃは、各時刻ｔ１〜ｔ１＋（ｎ−１）Δｔにおいて、起動残湯量Ｖを、その時刻から一定時間Δｔ経過時の次の時刻までの間の前記時刻間設定値（即ちその時刻の前記時刻間設定値）に変更する。
【０１２８】
この貯湯式給湯装置１Ｃの動作（浴槽９に対する湯張りまたは追い焚きの完了予定時刻が設定入力された場合の動作）は、図５において、各ステップＳ１２，Ｓ１５を例えば以下の様に修正すれば良い。
【０１２９】
即ちこの実施形態のステップＳ１２では、設定値計算部１５０ｆにより、時刻ｔ１から一定時刻Δｔ経過時の次の時刻までの間の前記時刻間設定値が計算される。そして設定値変更部１５０ｃにより、起動残湯量Ｖが、その計算された時刻間設定値に変更される。またこの実施形態のステップＳ１５では、設定値変更部１５０ｃにより、その一定時間Δｔの計時の完了時の時刻から一定時刻Δｔ経過時の次の時刻までの間の前記時刻間設定値が計算される。そして設定値変更部１５０ｃにより、起動残湯量Ｖが、その計算された時刻間設定値に変更される。
【０１３０】
以上の様に構成された貯湯式給湯装置１Ｃによれば、起動残湯量Ｖを、複数の時刻ｔ１〜ｔ１＋（ｎ−１）Δｔの各時刻において、その時刻の貯湯タンク５の出湯量平均値を考慮して最適な量に変更できる。
【０１３１】
＜第４実施形態＞
この実施形態に係る貯湯式給湯装置１Ｄは、第１実施形態において、設定値Ｖ２として、湯張りまたは追い焚きに必要な湯量に対し、湯張りまたは追い焚き開始時刻（第１時刻）ｔ２の設定時刻（第２時刻）ｔ１から時刻ｔ２までの間のヒートポンプユニット３の沸上可能湯量を除算し、且つ時刻ｔ２から時刻ｔ１までの間の貯湯タンク５の出湯量平均値を加算した湯量を用いたものである。
【０１３２】
この実施形態の制御装置１５０Ｄは、図７の様に、図２の制御装置１５０において更に、記憶部（記憶手段）１５０ｅと、設定値計算部（設定値計算手段）１５０ｇとを備えたものである。
【０１３３】
記億部１５０ｅには、例えば１日（２４時間）の一定時間毎の貯湯タンク５の出湯量平均値に関する第１情報と、湯張りまたは追い焚きに必要な湯量に関する第２情報とが記憶されている。
【０１３４】
尚、前記第１情報は、予め計算して記憶部１５ｅに固定値として記憶されても良く、または、貯湯タンク５の出湯量を検出する出湯量検出部（出湯量検出手段）を追加し、その出湯量検出部により、一定期間に亘って一定時間毎の貯湯タンク５の出湯量を検出させ、その検出結果に基づき、例えば設定値変更部１５０ｃにより当該第１情報を計算させ、その計算結果を記憶部１５０ｅに記憶させても良い。
【０１３５】
設定値計算部１５０ｇは、前記第１情報に基づき時刻ｔ２から時刻ｔ１までの間の貯湯タンク５の出湯量平均値を算出し、且つヒートポンプユニット３によって時刻ｔ１から時刻ｔ２までの間に沸き上げる事が可能な第１湯量を計算し、且つ前記第２情報から得られる湯張りまたは追い焚きに必要な第２湯量に対して前記第１湯量を減算すると共に前記出湯量平均値を加算した第３湯量を計算し、前記第３湯量を設定値Ｖ２とする。
【０１３６】
この実施形態に係る貯湯式給湯装置１Ｄの動作（浴槽９に対する湯張りまたは追い焚きの完了予定時刻が設定入力された場合の動作）は、図８の様に、図３において各ステップＳ７，Ｓ８の間にステップＳ１８を追加したものである。
【０１３７】
ステップＳ１８では、設定値計算部１５０ｇにより、前記第１情報に基づき時刻ｔ２から時刻ｔ１までの間の貯湯タンク５の出湯量平均値が算出され、且つヒートポンプユニット３によって時刻ｔ１から時刻ｔ２までの間に沸き上げる事が可能な湯量（第１湯量）が計算される。そして設定値計算部１５０ｇにより、前記第２情報から得られる湯張りまたは追い焚きに必要な湯量（第２湯量）に対して前記第１湯量が減算されると共に前記出湯量平均値が加算された第３湯量が計算され、前記第３湯量が設定値Ｖ２として設定される。
【０１３８】
以上の様に構成された貯湯式給湯装置１Ｄによれば、時刻ｔ１（第２時刻）から時刻ｔ２（第１時刻）までの間のヒートポンプユニット３の沸上能力および貯湯タンク５の出湯量を考慮して設定値Ｖ２が計算されるので、時刻ｔ１から時刻ｔ２までの間において湯張りまたは追い焚きに要する必要最小限の湯量を確保でき、貯湯タンク５の残湯量からの放熱を最小限に抑制できる。
【０１３９】
＜第５実施形態＞
この実施形態に係る貯湯式給湯装置１Ｅは、第１実施形態において、設定値Ｖ２として、湯張りまたは追い焚きに必要な湯量と、給湯部（例えばシャワー）７による出湯の発生時間の平均値におけるヒートポンプユニット３の沸上可能湯量とを加算した湯量を用いたものである。
【０１４０】
この実施形態の制御装置１５０Ｅは、図９の様に、図２の制御装置１５０において更に、出湯発生時間検出部（出湯発生時間検出手段）１５０ｈと設定値計算部（設定値計算手段）１５０ｉとを追加したものである。
【０１４１】
出湯発生時間検出部１５０ｈは、例えば給湯水量センサＷ２の検出結果に基づき一定期間に亘って給湯部７の出湯の発生時間を検出し、その検出結果に基づき給湯部７の出湯の発生時間の平均値を計算する。
【０１４２】
設定値計算部１５０ｉは、出湯発生時間検出部１５０ｈにより計算された前記平均値においてヒートポンプユニット３が沸き上げる事が可能な湯量を計算して、その計算結果を設定値Ｖ２として設定する。
【０１４３】
尚、上述の前記平均値の計算および設定値Ｖ２の設定は、設定値変更部１５０ｃにより起動残湯量Ｖが設定値Ｖ１から設定値Ｖ２に変更される前の所定の処理段階（例えば図３においてステップＳ０の前の処理段階）に行われる。
【０１４４】
この貯湯式給湯装置１Ｅの動作（浴槽９に対する湯張りまたは追い焚きの完了予定時刻が設定入力された場合の動作）は、図３において、例えばステップＳ０の前において、上述の前記平均値の計算および設定値Ｖ２の設定が行われる以外は同じなので、説明を省略する。
【０１４５】
以上の様に構成された貯湯式給湯装置１Ｅによれば、設定値Ｖ２として、湯張りまたは追い焚きに必要な湯量と、給湯部（例えばシャワー）７による出湯１回分の出湯量とを考慮した値にできる。
【０１４６】
また出湯発生時間検出部１５０ｈおよび設定値計算部１５０ｉにより、給湯部７による出湯の発生時間の平均値におけるヒートポンプユニット３の沸上可能湯量を計算させるので、利用者による給湯部７の使用状況に応じて前記沸上可能湯量を適切な値（従って設定値Ｖ２を最適な値）に設定できる。
【０１４７】
尚、前記沸上可能湯量として、予め計算されたもを固定値として設定しても良い。この場合は、出湯発生時間検出部１５０ｈおよび設定値計算部１５０ｉを省略できるので、その分、制御装置１５０Ｅの構成が簡素化できる。
【０１４８】
＜第６実施形態＞
この実施形態に係る貯湯式給湯装置Ｆは、第１実施形態において、湯張りまたは追い焚きの完了予定時刻ｔ３の設定時刻（第２時刻）ｔ１において、湯張りまたは追い焚き開始時刻（第１時刻）ｔ２までに貯湯タンク５の残湯量を設定値Ｖ２以上にできない場合は、ヒートポンプユニット３の出力値を第１の出力値から第２の出力値に上昇させるものである。
【０１４９】
この実施形態の制御装置１５０Ｆは、図１０の様に、図２の制御装置１５０において更に、演算部（演算手段）１５０ｊを備えたものである。演算部１５０ｊは、ヒートポンプユニット３の第１の出力値によって、湯張りまたは追い焚きの完了予定時刻ｔ３の設定時刻ｔ１から時刻ｔ２までに沸き上げる事が可能な第１湯量を計算し、且つ残湯量検出部１５０ａから時刻ｔ１における貯湯タンク５の残湯量の情報を取得し、且つその残湯量と前記第１湯量とを加算した第２湯量を計算し、前記第２湯量と設定値Ｖ２とを比較する。
【０１５０】
この実施形態の制御部１５０ｄは、第１実施形態の制御部１５０ｄにおいて更に、例えば制御装置１５０Ｆの起動時に、ヒートポンプユニット３の出力値を第１の出力値に設定する。そして制御部１５０ｄは、演算部１５０ｊの上記の比較の結果、前記第２湯量が設定値Ｖ２以上の場合（即ち前記第１の出力値により、残湯量を時刻ｔ２までに設定値Ｖ２以上にできる場合）は、ヒートポンプユニット３の出力を前記第１の出力値のままに維持する。これによりヒートポンプユニット３が起動された際には、貯湯タンク５内の水は、ヒートポンプユニット３により前記第１の出力値により沸き上げられる。他方、制御部１５０ｄは、前記第２湯量が設定値Ｖ２以上でない場合（即ち前記第１の出力値では、残湯量を時刻ｔ２までに設定値Ｖ２以上にできない場合）は、ヒートポンプユニット３の出力値を前記第２の出力値に設定する。これによりヒートポンプユニット３が起動した際には、貯湯タンク５内の水は、ヒートポンプユニット３により前記第２の出力値により沸き上げられる（即ち前記第１の出力値の場合よりも速く沸き上げられる）。
【０１５１】
尚、上記の第２の出力値としては、例えばヒートポンプユニット３の最高出力値を採用してもよく、上記の第１の出力値としては、例えばヒートポンプユニット３の最高出力値よりも低い出力値（例えば最高出力値の８０％から９０％程度の出力値）を採用しても良い。尚、この実施形態の他の構成は、第１実施形態と同様である。
【０１５２】
この貯湯式給湯装置１Ｆの動作（浴槽９に対する湯張りまたは追い焚きの完了予定時刻が設定入力された場合の動作）は、図１１の様に、図３において、各ステップＳ０，Ｓ１の間に各ステップＳ２０を追加し、各ステップＳ７，Ｓ８の間にステップＳ２１〜Ｓ２３を追加したものである。
【０１５３】
即ちステップＳ２０では、制御部１５０ｄによりヒートポンプユニット３の出力値が第１の出力値に設定される。これによりヒートポンプユニット３が起動されると、貯湯タンク５内の水は、ヒートポンプユニット３により前記第１の出力値により沸き上げられる。
【０１５４】
またステップＳ２１では、上述の様に、演算部１５０ｊにより第２湯量が計算される。そしてステップＳ２２では、演算部１５０ｊにより、その計算された第２湯量と設定値Ｖ２とが比較される。そしてその比較の結果、第２湯量が設定値Ｖ２以上の場合は、制御部１５０ｄにより、ヒートポンプユニット３の出力値が第１の出力値に維持され、処理がステップＳ８に進む。他方、ステップＳ２２の比較の結果、第２湯量が設定値Ｖ２以上でない場合は、処理がステップＳ２３に進み、制御部１５０ｄにより、ヒートポンプユニット３の出力値が第２の出力値に設定される。これにより、これによりヒートポンプユニット３が起動されると、貯湯タンク５内の水は、ヒートポンプユニット３により前記第２の出力値により沸き上げられる（即ち前記第１の出力値の場合よりも速く沸き上げられる）。そして処理がステップＳ８に進む。
【０１５５】
以上の様に構成された貯湯式給湯装置１Ｆによれば、沸上時間が足りなくて、貯湯タンク５の残湯量を、湯張りまたは追い焚き開始時刻ｔ２（第１時刻）までに設定値Ｖ２以上にできない場合は、ヒートポンプユニット（加熱手段）３の出力値が第１の出力値からそれよりも高い第２の出力値に変更されるので、沸上時間が足りない場合でも、湯張りまたは追い焚きの際の湯切れを抑制できる。
【０１５６】
尚、この実施形態では、第１実施形態に適用する場合で説明したが、第２〜第５実施形態に適用しても良い。
【０１５７】
＜第７実施形態＞
この実施形態に係る貯湯式給湯装置１Ｇは、第１実施形態において、湯張りまたは追い焚きの完了予定時刻ｔ３の設定時刻（第２時刻）ｔ１から湯張りまたは追い焚き開始時刻（第１時刻）ｔ２までの時間が短いほど、ヒートポンプユニット３の出力値を大きくするものである。
【０１５８】
この実施形態の制御装置１５０Ｇは、図１２の様に、第１実施形態の制御装置１５０において更に、記憶部１５０ｋを備えたものである。記憶部１５０ｋには、互いに異なる長さの複数の時間と、ヒートポンプユニット３についての互いに異なる複数の出力値とが記憶されている。ここでは、前記複数の時間はそれぞれ、その時間が短いものほど、より大きい値の前記出力値と対応する様に、前記複数の出力値と対応付けられている。
【０１５９】
この実施形態の制御部１５０ｄは、時刻ｔ１から時刻ｔ２までの時間を計算し、前記複数の時間のうちその計算した時間に最も近いもの（具体的には例えば、前記複数の時間のうち、その計算した時間より大きいもののうちの最小のもの）を検出する。そして制御部１５０ｄは、上記の複数の時間と複数の出力値との対応付けに基づき、その検出した時間に対応する出力値を求める。そして制御部１５０ｄは、ヒートポンプユニット３の出力値をその求めた出力値に設定する。これにより、ヒートポンプユニット３が起動すると、ヒートポンプユニット３は、その設定された出力値で、貯湯タンク５内の水の沸き上げを行う。即ちヒートポンプユニット３は、時刻ｔ１から時刻ｔ２までの時間が短いほど大きな値の出力値で、貯湯タンク５内の水の沸き上げを行う。
【０１６０】
尚、この実施形態の他の構成は、第１実施形態と同様である。
【０１６１】
この貯湯式給湯装置１Ｆの動作（浴槽９に対する湯張りまたは追い焚きの完了予定時刻が設定入力された場合の動作）は、図１３の様に、図３において、各ステップＳ７，Ｓ８の間にステップＳ１９を追加したものである。ステップＳ１９では、制御部１５０ｄにより、上述の様に、時刻ｔ１，ｔ２間の時間が計算され、ヒートポンプユニット３の出力値として、その計算された時間が短いほど大きな値の出力値が設定される。
【０１６２】
以上の様に構成された貯湯式給湯装置１Ｇによれば、時刻ｔ１（第２時刻）から時刻ｔ２（第１時刻）までの時間が短いほどヒートポンプユニット３の出力値が大きく設定されるので、時刻ｔ１から時刻ｔ２までの時間が短くても、湯張りまたは追い焚きの際の湯切れを抑制できる。
【０１６３】
尚この実施形態では、第１実施形態に適用する場合で説明したが、第２〜第５実施形態に適用しても良い。
【符号の説明】
【０１６４】
１，１Ｂ〜１Ｇ  貯湯式給湯装置
３  ヒートポンプユニット
５  貯湯タンク
７  給湯部
９  浴槽
１５０ａ  残湯量検出部  
１５０ｂ  開始時刻設定部
１５０ｃ  設定値変更部
１５０ｄ  制御部
１５０ｅ，１５０ｋ  記憶部
１５０ｆ，１５０ｇ，１５０ｉ  設定値計算部
１５０ｈ  出湯発生時間検出部
１５０ｊ  演算部
【図１】
2010281489.tif 000003
【図２】
2010281489.tif 000004
【図３】
2010281489.tif 000005
【図４】
2010281489.tif 000006
【図５】
2010281489.tif 000007
【図６】
2010281489.tif 000008
【図７】
2010281489.tif 000009
【図８】
2010281489.tif 000010
【図９】
2010281489.tif 000011
【図１０】
2010281489.tif 000012
【図１１】
2010281489.tif 000013
【図１２】
2010281489.tif 000014
【図１３】
2010281489.tif 000015
【図１４】
2010281489.tif 000016